(57)【要約】【課題】開いた状態の袋体の底面が硬質平坦で安定性が確保でき、物品の出し入れが容易であり、かつ、煩雑な製造工程を必要とすることのない台紙付き袋、及び、開いた状態の袋体の底面を矩形平坦とし、安定性やケースへの嵌り具合の良好な袋内蔵ケースを得る。【解決手段】底部１０ａにガゼット折り部１１を形成し、ガゼット折り部１１の内側であってガゼット折り部１１を開いたときに底面に露出する４隅に第１の面ファスナ１２を取り付けたプラスチック製袋体１０と、ガゼット折り部１１を開いたときの第１の面ファスナ１２と対向する位置に、第１の面ファスナ１２と係合する第２の面ファスナ２１を取り付けた台紙２０とからなる台紙付き袋。【選択図】図３
2010013127.tif 000002
【特許請求の範囲】
【請求項１】
底部にガゼット折り部を形成し、ガゼット折り部の内側であってガゼット折り部を開いたときに底面に露出する少なくとも４箇所に第１の面ファスナを取り付けたプラスチック製袋体と、
前記ガゼット折り部を開いたときの前記第１の面ファスナと対向する位置に、該第１の面ファスナと係合する第２の面ファスナを取り付けた台紙と、
を備えたことを特徴とする台紙付き袋。
【請求項２】
底部にガゼット折り部を形成し、ガゼット折り部の内側であってガゼット折り部を開いたときに底面に露出する少なくとも４箇所に第１の面ファスナを取り付けたプラスチック製袋体と、
前記ガゼット折り部を開いたときの前記第１の面ファスナと対向する位置に、該第１の面ファスナと係合する第２の面ファスナを取り付けた箱体と、
を備えたことを特徴とする袋内蔵ケース。
【発明の詳細な説明】
【技術分野】
【０００１】
本発明は、台紙付き袋及び袋内蔵ケースに関する。
【背景技術】
【０００２】
従来、折り畳んだ状態から立体的に広げることのできる袋としてガゼット袋が種々提供されている。しかし、この種のガゼット袋は底部を広げて平坦にしないと安定性や自立性が悪いという問題点を有していた。また、ガゼット折りされた底部は収納時には袋の内側に折り畳まれており、広げた場合、図５（Ａ）に示すような舟形の形状になった。図５（Ｂ）に示すように、底部を矩形の形状にすると、袋の両端部Ｙが矩形の側面部を形成することとなり、その側面部と底部との境界が判然としなかった。
【０００３】
広げた状態での安定性や自立性を図るためには、ガゼット袋の底部に台紙を一体化しておけばよいが、台紙を組み込んだ状態でガゼット袋を製造することは困難である。仮に、台紙を一体的に内蔵したガゼット袋を製造できたとしても、このようなガゼット袋は折り畳みが困難で納まりが悪い。
【０００４】
本願発明に関しては、株式会社プロパティにより先行技術調査が行われた。しかし、本願発明の特許性に影響を与える先行技術文献は存在しなかった。
【発明の開示】
【発明が解決しようとする課題】
【０００５】
そこで、本発明の目的は、開いた状態の袋体の底面が硬質平坦で安定性が確保でき、物品の出し入れが容易であり、かつ、煩雑な製造工程を必要とすることのない台紙付き袋を提供することにある。
【０００６】
本発明の他の目的は、開いた状態の袋体の底面を矩形平坦とし、安定性やケースへの嵌り具合の良好な袋内蔵ケースを提供することにある。
【課題を解決するための手段】
【０００７】
以上の目的を達成するため、本発明の第１の形態である台紙付き袋は、
底部にガゼット折り部を形成し、ガゼット折り部の内側であってガゼット折り部を開いたときに底面に露出する少なくとも４箇所に第１の面ファスナを取り付けたプラスチック製袋体と、
前記ガゼット折り部を開いたときの前記第１の面ファスナと対向する位置に、該第１の面ファスナと係合する第２の面ファスナを取り付けた台紙と、
を備えたことを特徴とする。
【０００８】
前記台紙付き袋においては、袋体のガゼット折りされた底部を開き、第１の面ファスナを台紙に取り付けた第２の面ファスナに係合させることにより、袋体の底部を台紙上に固定することができ、袋体が安定した状態で自立することになる。これにて、袋体への物品の収納や取出しが容易になる。また、袋体と台紙とは使用時に合体させればよく、台紙を袋体に組み込むような煩雑な製造工程は必要なく、一方が損傷しても取り換えることができる。
【０００９】
本発明の第２の形態である袋内蔵ケースは、
底部にガゼット折り部を形成し、ガゼット折り部の内側であってガゼット折り部を開いたときに底面に露出する少なくとも４箇所に第１の面ファスナを取り付けたプラスチック製袋体と、
前記ガゼット折り部を開いたときの前記第１の面ファスナと対向する位置に、該第１の面ファスナと係合する第２の面ファスナを取り付けた箱体と、
を備えたことを特徴とする。
【００１０】
前記袋内蔵ケースにおいては、袋体のガゼット折りされた底部を開き、第１の面ファスナを箱体の底部に取り付けた第２の面ファスナに係合させることにより、箱体に袋体を内蔵させることができ、袋体が箱体で囲われた状態で保形性が確保され、袋体のケースへの嵌り具合も良好である。これにて、袋体への物品の収納や取出しが容易になる。また、袋体と箱体とは使用時に合体させればよく、一方が損傷しても取り換えることができる。
【００１１】
また、ガゼット折りされた底部は袋体の側面部との境界が判別しにくいが、底面の４隅に第１の面ファスナを取り付けておくことにより、底部と側面部とを識別して広げることができるとともに側面部を容易に立ち上げることができる。
【発明を実施するための最良の形態】
【００１２】
以下、本発明に係る台紙付き袋及び袋内蔵ケースの実施例について、添付図面を参照して説明する。
【００１３】
（台紙付き袋、図１〜図３参照）
本発明の一実施例である台紙付き袋は、図１に示すプラスチック製袋体１０と、図３に示す台紙２０とで構成されている。
【００１４】
プラスチック製袋体１０は、従来から知られているガゼット袋であって、底部１０ａにガゼット折り部１１を形成し、側部１０ｂを容着又は溶断したもので、上部開口部１０ｃの内側には対向する凹部１６及び凸部１７が嵌合／離脱可能なファスナ１５が取り付けられている。
【００１５】
ガゼット折り部１１には、開いたときに（図２参照）底面に露出する４隅に面ファスナ１２が接着剤などによって取り付けられている。ガゼット折り部１１が畳まれた状態は図１に示すとおりであり、面ファスナ１２は折り畳まれたガゼット折り部１１の内側に一対ずつ対向して位置している。
【００１６】
一方、台紙２０は、例えば、ボール紙からなり、前記ガゼット折り部１１を開いたときの前記面ファスナ１２と対向する位置に、面ファスナ１２と係合する面ファスナ２１が接着剤などで取り付けられている。
【００１７】
通常、図１に示した状態の袋体１０と図３に示す台紙２０とを１対１で組み合わせて用意しておく。袋体１０の使用時には、まず、ガゼット折り部１１を開き、面ファスナ１２が４隅に位置するように底部１０ａを平坦にする。そして、面ファスナ１２を台紙２０上の面ファスナ２１に係合させる。
【００１８】
これにて、底部１０ａが台紙２０で補強されて硬質平坦な台紙付き袋が得られる。この袋は面ファスナ１２，２１が互いに係合することで、袋体１０が安定した状態で自立することになる。従って袋体１０への物品の収納や取出しが容易になる。また、袋体１０と台紙２０とは使用時に合体させればよく、台紙２０を袋体１０に組み込むような煩雑な製造工程は必要なく、一方が損傷しても取り換えることができる。
【００１９】
また、ガゼット折りされた底部１０ａは袋体１０の側面部との境界が判別しにくい。しかし、本実施例では、底面の４隅に面ファスナ１２が取り付けられているため、底部１０ａを識別して広げるとともに側面部を容易に立ち上げることができる。さらに、袋体１０が折り畳まれているとき、面ファスナ１２はガゼット折り部１１の内側で一対ずつ対向しているので、外面に露出することはなく、他の物と接触することはない。
【００２０】
（袋内蔵ケース、図１、図２及び図４参照）
本発明の一実施例である袋内蔵ケースは、図１に示すプラスチック製袋体１０と、図４に示す箱体３０とで構成されている。
【００２１】
プラスチック製袋体１０は前記台紙付き袋で説明したとおりのものである。箱体３０は、段ボール又はボール紙から形成され、四つの側面部３０ａ〜３０ｄと底部３０ｅとからなり、上部は開口されている。また、底部３０ｅには前記ガゼット折り部１１を開いたときの前記面ファスナ１２と対向する位置に、面ファスナ１２と係合する面ファスナ３１が接着剤などで取り付けられている。
【００２２】
前記箱体３０は、適宜形状に折り畳まれて保管されており、使用時には、まず、箱体３０を図４に示す状態に組み立てる。一方、袋体１０のガゼット折り部１１を開き、面ファスナ１２が４隅に位置するように底部１０ａを平坦にする。そして、袋体１０を箱体３０に収容し、かつ、面ファスナ１２を底部３０ｅの面ファスナ３１に係合させる。
【００２３】
これにて、袋内蔵ケースが得られる。袋体１０は面ファスナ１２，３１が互いに係合することで袋体１０の底部１０ａが補強され、袋体１０の箱体３０への嵌め合わせも良好である。しかも、箱体３０の側面部３０ａ〜３０ｄで囲まれることで、袋体１０が安定した状態で箱体３０内に収容され、袋体１０への物品の収納や取出しが容易になる。一方が損傷しても取り換えることができる。また、袋体１０と箱体３０とを単独で使用してもよい。
【００２４】
（他の実施例）
なお、本発明に係る台紙付き袋及び袋内蔵ケースは前記実施例に限定するものではなく、その要旨の範囲内で種々に変更できる。
【００２５】
特に、面ファスナの取付け個数は４以上であってもよい。面ファスナは、粘着（両面）テープ、ホック、ボタンなどの接続具などであってもよい。また、袋体や箱体の形状や構造の細部は任意であり、箱体は蓋を備えたものであってもよい。
【図面の簡単な説明】
【００２６】
【図１】本発明に係る台紙付き袋及び袋内蔵ケースを構成するプラスチック製袋体を示し、（Ａ）は折り畳んだ状態の正面図、（Ｂ）は垂直断面図、（Ｃ）は底面図である。
【図２】前記プラスチック製袋体を広げた状態を示す底面図である。
【図３】広げた状態の前記プラスチック製袋体と台紙を示す斜視図である。
【図４】本発明に係る袋内蔵ケースを構成する箱体を示す斜視図である。
【図５】従来のガゼット袋を広げた状態にて示す底面図である。
【符号の説明】
【００２７】
１０…プラスチック製袋体
１０ａ…底部
１１…ガゼット折り部
１２…面ファスナ
２０…台紙
２１…面ファスナ
３０…箱体
３０ｅ…底部
３１…面ファスナ
【図１】
2010013127.tif 000003
【図２】
2010013127.tif 000004
【図３】
2010013127.tif 000005
【図４】
2010013127.tif 000006
【図５】
2010013127.tif 000007